(57)【要約】【課題】大きさが異なるフェライトコアを収容することができる。【解決手段】フェライトコアホルダ６０は、大きさが異なるフェライトコア５１、５２の何れかが収容される収容部７３を備え、収容部７３は、フェライトコア５１、５２の何れかの挿入方向Ｄ１に延びた面の一部と接触する第１接触部８１と、フェライトコア５１、５２の何れかの挿入方向Ｄ１の一端と接触する第２接触部８２と、第１接触部８１と対向し、第２接触部８２から挿入方向Ｄ１に延び、第１接触部８１側に向かって弾性力を付与する第１支持部材９１と、第１支持部材９１から第１接触部８１側に向かって突出し、フェライトコア５１と接触可能な第１突起８３と、第１支持部材９１における第１突起８３の位置よりも第２接触部８２側と反対側の部位から第１接触部８１側に向かって突出し、フェライトコア５２と接触可能な第２突起８４と、を備えている。【選択図】図６
2019021857.tif 000002
【特許請求の範囲】
【請求項１】
フレキシブルケーブルが挿入される第１フェライトコア、および、前記フレキシブルケーブルが挿入され、前記フレキシブルケーブルが挿入される挿入方向における長さが前記第１フェライトコアよりも長い第２フェライトコアのうち何れか一方が収容される収容部を備え、
前記収容部は、
前記第１フェライトコアおよび前記第２フェライトコアの何れかにおける前記挿入方向に延びた面の一部と接触する第１接触部と、
前記第１フェライトコアおよび前記第２フェライトコアの何れかにおける前記挿入方向の一端と接触する第２接触部と、
前記第１接触部と対向する位置に設けられ、前記第２接触部から前記挿入方向に延び、前記第１接触部側に向かって弾性力を付与する第１支持部材と、
前記第１支持部材から前記第１接触部側に向かって突出し、前記第１フェライトコアと接触可能な第１突起と、
前記第１支持部材における前記第１突起が設けられた位置よりも前記第２接触部側とは反対側の部位から前記第１接触部側に向かって突出し、前記第２フェライトコアと接触可能な第２突起と、
を備えた、フェライトコアホルダ。
【請求項２】
前記第２突起は、前記第１突起よりも前記第１接触部側に向かって突出し、
前記第２接触部から前記第１突起までの距離は、前記第１フェライトコアの前記挿入方向の長さよりも短く、
前記第２接触部から前記第２突起までの距離は、前記第１フェライトコアの前記挿入方向の長さよりも長い、請求項１に記載されたフェライトコアホルダ。
【請求項３】
前記収容部は、
前記第１接触部と対向する位置に設けられ、前記第２接触部から前記挿入方向に向かって延びた第２支持部材と、
前記第２突起よりも前記第２接触部と反対側に位置し、前記第２支持部材から前記第１接触部側に向かって突出した第３突起と、
を備え、
前記第２接触部から前記第３突起までの前記挿入方向の距離は、前記第２フェライトコアの前記挿入方向の長さよりも長い、請求項１または２に記載されたフェライトコアホルダ。
【請求項４】
前記第２支持部材および前記第３突起は、前記挿入方向と直交する直交方向における前記第１支持部材の両側に１つずつ設けられている、請求項３に記載されたフェライトコアホルダ。
【請求項５】
前記第１接触部、前記第２接触部、前記第１支持部材、前記第１突起および前記第２突起は、樹脂製である、請求項１から４までの何れか１つに記載されたフェライトコアホルダ。
【請求項６】
前記収容部は、前記挿入方向と直交する直交方向に複数設けられている、請求項１から５までの何れか１つに記載されたフェライトコアホルダ。
【請求項７】
請求項１から６までの何れか１つに記載されたフェライトコアホルダと、
インクが吐出されるインクヘッドと、
前記インクヘッドが搭載されたキャリッジと、
前記インクヘッドに前記フレキシブルケーブルを介して電気的に接続された制御装置と、
を備え、
前記フェライトコアホルダは、前記キャリッジに取り付けられる取付部を備えた、印刷装置。
【発明の詳細な説明】
【技術分野】
【０００１】
本発明は、フェライトコアホルダおよび印刷装置に関する。詳しくは、フェライトコアを収容するホルダ、および、それを備えた印刷装置に関する。
【背景技術】
【０００２】
従来から、印刷装置には、インクヘッドと制御装置とを繋ぐフレキシブルケーブルから発生する高周波数のノイズを除去するために、フレキシブルケーブルにフェライトコアが取り付けられている。例えば、特許文献１には、フェライトコアを収容するためのフェライトコアホルダを備えた画像形成装置が開示されている。
【０００３】
特許文献１に開示された画像形成装置は、例えば、内部に設けられた電装ボックスと、電装ボックス内に設置された電装基板とを備えている。電装基板には、フレキシブルケーブルの一例であるフラットケーブルが接続され、フラットケーブルにフェライトコアが取り付けられている。そして、フェライトコアホルダは、フェライトコアを収容した状態で、電装ボックスに固定されている。
【先行技術文献】
【特許文献】
【０００４】
【特許文献１】特開２０１２−１８９８１３号公報
【発明の概要】
【発明が解決しようとする課題】
【０００５】
ところで、画像形成装置などの印刷装置の機種によって、ノイズが発生する周波数、および、除去したいノイズが発生する周波数が異なることがあり得る。除去したいノイズの周波数によって、フレキシブルケーブルに取り付けられるフェライトコアの大きさがことなることがあり得る。しかしながら、特許文献１に開示されたフェライトコアホルダには、１つの大きさのフェライトコアのみを収容することが可能である。そのため、印刷装置の機種毎に、フェライトコアホルダを新たに作成しなければならなかった。また、１つの印刷装置であっても、除去したいノイズの周波数が変更されて、フェライトコアの大きさを変更した場合、フェライトコアホルダも変更する必要があった。
【０００６】
本発明はかかる点に鑑みてなされたものであり、その目的は、大きさが異なるフェライトコアを収容することが可能なフェライトコアホルダおよび印刷装置を提供することである。
【課題を解決するための手段】
【０００７】
本発明に係るフェライトコアホルダは、フレキシブルケーブルが挿入される第１フェライトコア、および、前記フレキシブルケーブルが挿入され、前記フレキシブルケーブルが挿入される挿入方向における長さが前記第１フェライトコアよりも長い第２フェライトコアのうち何れか一方が収容される収容部を備えている。前記収容部は、第１接触部と、第２接触部と、第１支持部材と、第１突起と、第２突起とを備えている。前記第１接触部は、前記第１フェライトコアおよび前記第２フェライトコアの何れかにおける前記挿入方向に延びた面の一部と接触する。前記第２接触部は、前記第１フェライトコアおよび前記第２フェライトコアの何れかにおける前記挿入方向の一端と接触する。前記第１支持部材は、前記第１接触部と対向する位置に設けられ、前記第２接触部から前記挿入方向に延び、前記第１接触部側に向かって弾性力を付与する。前記第１突起は、前記第１支持部材から前記第１接触部側に向かって突出し、前記第１フェライトコアと接触可能である。前記第２突起は、前記第１支持部材における前記第１突起が設けられた位置よりも前記第２接触部側とは反対側の部位から前記第１接触部側に向かって突出し、前記第２フェライトコアと接触可能である。
【０００８】
前記フェライトコアホルダによれば、例えば、収容部に第１フェライトコアを収容する場合、第１フェライトコアの一端が第２接触部に接触するように、第１フェライトコアを収容部に収容する。このとき、第１フェライトコアは、第１支持部材の弾性力を利用して、第１突起によって第１接触部に押し当てられる状態となる。よって、第１突起の突出量によって第１フェライトコアが収容部から脱落しないように、第１フェライトコアを第１接触部側に押す力が調整されているので、収容部から第１フェライトコアが簡単に取り外され難い。例えば、フレキシブルケーブルから挿入される挿入方向の長さが第１フェライトコアよりも長い第２フェライトコアを収容部に収容する場合、第２フェライトコアの一端が第２接触部に接触するように、第２フェライトコアを収容部に収容する。このとき、第２フェライトコアは、第１支持部材の弾性力を利用して、第２突起によって第１接触部に押し当てられる状態となる。よって、第２突起の突出量によって第２フェライトコアが収容部から脱落しないように、第２フェライトコアを第１接触部側に押す力が調整されているので、収容部から第２フェライトコアが簡単に取り外され難い。したがって、１つの収容部に大きさが異なるフェライトコアのいずれを収容しても脱落することなく収容することができる。
【発明の効果】
【０００９】
本発明によれば、大きさが異なるフェライトコアを収容することが可能なフェライトコアホルダおよび印刷装置を提供することができる。
【図面の簡単な説明】
【００１０】
【図１】実施形態に係る印刷装置の正面図である。
【図２】キャリッジの記録媒体と対向する側の面の構成を示す模式図である。
【図３】印刷装置のブロック図である。
【図４】キャリッジの内部の構成を模式的に示した正面図である。
【図５】第１フェライトコアおよび第２フェライトコアの斜視図である。
【図６】フェライトコアホルダの斜視図である。
【図７】収容部の斜視図である。
【図８】収容部に第１フェライトコアが収容された状態を示す斜視図である。
【図９】収容部に第２フェライトコアが収容された状態を示す斜視図である。
【図１０】図８のＸ−Ｘ断面におけるフェライトコアホルダの断面図である。
【図１１】図９のＸＩ−ＸＩ断面におけるフェライトコアホルダの断面図である。
【図１２】他の実施形態に係るフェライトコアホルダの断面図であり、図１０相当図である。
【発明を実施するための形態】
【００１１】
以下、図面を参照しながら、本発明の実施の一形態について説明する。ただし、以下に説明する実施形態は、本発明の実施形態に過ぎず、当然ながら本発明を限定することを意図したものではない。
【００１２】
＜実施形態＞
図１は、本実施形態に係る印刷装置１００の正面図である。以下の説明では、印刷装置１００を正面から見たときに、印刷装置１００から遠ざかる方を前方、印刷装置１００に近づく方を後方とする。左、右、上、下とは、印刷装置１００を正面から見たときの左、右、上、下をそれぞれ意味するものとする。また、図面中の符号Ｆ、Ｒｒ、Ｌ、Ｒ、Ｕ、Ｄは、それぞれ前、後、左、右、上、下を意味するものとする。また、図面中の符号Ｙは主走査方向を示している。ここでは、主走査方向Ｙは左右方向である。図面中の符号Ｘは副走査方向を示している。ここでは、副走査方向Ｘは前後方向であり、平面視において主走査方向Ｙと直交している。図面中Ｚは、高さ方向、すなわち、上下方向を示している。ただし、これら方向は説明の便宜上定めた方向に過ぎず、印刷装置１００の設置態様を何ら限定するものではなく、本発明を何ら限定するものでもない。
【００１３】
図１に示すように、印刷装置１００は、画像が印刷される対象物である紙などの記録媒体５にインクを吐出することで、記録媒体５に対して印刷を行う装置である。ここでは、印刷装置１００は、インクジェット式のプリンタである。しかしながら、印刷装置１００の種類は特に限定されない。例えば、印刷装置１００は、インパクト式のプリンタであっても良いし、レーザ式のプリンタであってもよいし、熱転写式のプリンタであってもよい。例えば印刷装置１００は、ロール状の記録媒体５を順次前方に移動させると共に、主走査方向Ｙに移動するインクヘッド３５（図１参照）からインクを吐出させることによって、記録媒体５に画像を印刷する。
【００１４】
印刷装置１００は、印刷本体１０ａと、脚１１と、プラテン１６と、ヘッド移動機構３１と、媒体搬送機構３２と、インクヘッド３５と、制御装置４０を備えている。印刷本体１０ａは、主走査方向Ｙに延びたケーシングを有する。脚１１は、印刷本体１０ａを支持するものであり、印刷本体１０ａの下面に設けられている。
【００１５】
プラテン１６は、記録媒体５への印刷を行う際、記録媒体５を支持するものである。プラテン１６には、記録媒体５が載置される。記録媒体５への印刷は、プラテン１６上で行われる。ここでは、プラテン１６は、主走査方向Ｙに延びている。
【００１６】
ヘッド移動機構３１は、プラテン１６に載置された記録媒体５に対してインクヘッド３５を相対的に主走査方向Ｙに移動させる機構である。本実施形態では、ヘッド移動機構３１は、インクヘッド３５を主走査方向Ｙに移動させる。なお、ヘッド移動機構３１の構成は特に限定されない。本実施形態では、ヘッド移動機構３１は、ガイドレール２０と、プーリ２１と、プーリ２２と、無端状のベルト２３と、第１駆動モータ２４と、キャリッジ３０とを有している。ガイドレール２０は、キャリッジ３０の主走査方向Ｙへの移動をガイドするものである。ガイドレール２０は、プラテン１６の上方に配置されている。ガイドレール２０は、主走査方向Ｙに延びている。プーリ２１は、ガイドレール２０の左端部分に設けられている。プーリ２２は、ガイドレール２０の右端部分に設けられている。ベルト２３は、プーリ２１とプーリ２２とに巻き掛けられている。本実施形態では、右側のプーリ２２には、第１駆動モータ２４が接続されている。この場合、右側のプーリ２２が駆動プーリであり、左側のプーリ２１が従動プーリである。ただし、第１駆動モータ２４は、左側のプーリ２１に接続されていてもよい。本実施形態では、第１駆動モータ２４が駆動して、プーリ２２が回転することで、プーリ２１とプーリ２２との間においてベルト２３が走行する。
【００１７】
キャリッジ３０は、ベルト２３に取り付けられている。キャリッジ３０は、ガイドレール２０に係合しており、ガイドレール２０に摺動自在に設けられている。キャリッジ３０には、インクヘッド３５が搭載されている。本実施形態では、ヘッド移動機構３１は、第１駆動モータ２４の駆動によってベルト２３が走行して、キャリッジ３０が主走査方向Ｙに移動することに伴い、キャリッジ３０に搭載されたインクヘッド３５を主走査方向Ｙに移動させる。
【００１８】
媒体搬送機構３２は、プラテン１６に載置された記録媒体５をインクヘッド３５に対して相対的に副走査方向Ｘ（図２参照）に移動させるものである。ここでは、媒体搬送機構３２は、プラテン１６に載置された記録媒体５を副走査方向Ｘに移動させる。なお、媒体搬送機構３２の構成は特に限定されない。本実施形態では、媒体搬送機構３２は、グリットローラ２５と、ピンチローラ２６と、第２駆動モータ２７（図３参照）とを有している。グリットローラ２５は、プラテン１６に設けられている。ここでは、グリットローラ２５の少なくとも一部は、プラテン１６に埋設されている。ピンチローラ２６は、記録媒体５を上から押えつけるものである。ピンチローラ２６は、プラテン１６の上方であって、グリットローラ２５の上方に配置されている。ピンチローラ２６は、グリットローラ２５と上下方向Ｚに対向する位置に設けられている。ピンチローラ２６は、上下方向Ｚに移動可能に構成されている。なお、グリットローラ２５およびピンチローラ２６のそれぞれの設置位置および数は特に限定されない。本実施形態では、図１に示すように、グリットローラ２５およびピンチローラ２６は、プラテン１６の左端部および右端部にそれぞれ配置されている。
【００１９】
本実施形態では、図３に示すように、第２駆動モータ２７は、グリットローラ２５に接続されている。グリットローラ２５とピンチローラ２６との間に記録媒体５が挟まれた状態で、第２駆動モータ２７が駆動してグリットローラ２５が回転すると、記録媒体５は副走査方向Ｘに搬送される。
【００２０】
図２は、キャリッジ３０の記録媒体５と対向する側の面（本実施形態では下面）の構成を示す模式図である。図２に示すように、インクヘッド３５はインクを吐出するものである。インクヘッド３５は、キャリッジ３０に搭載されており、キャリッジ３０の下面に保持されている。図１に示すように、インクヘッド３５は、プラテン１６よりも上方に配置され、キャリッジ３０を介してガイドレール２０に摺動自在に設けられている。インクヘッド３５は、ヘッド移動機構３１によってガイドレール２０に沿って主走査方向Ｙに移動する。図２に示すように、インクヘッド３５の底面には、副走査方向Ｘに並んだ複数のノズル３６が形成されている。これら複数のノズル３６からインクが吐出される。本実施形態では、インクヘッド３５の数は、８つである。しかしながら、インクヘッド３５の数は特に限定されない。８つのインクヘッド３５は、主走査方向Ｙに並んで配置されている。例えば、８つのインクヘッド３５からそれぞれ異なる色調のインクが吐出される。
【００２１】
なお、本実施形態では、複数のインクヘッド３５は、それぞれ図示しないインク供給路によって、インクカートリッジ３７（図１参照）に接続されている。インクカートリッジ３７は、例えば印刷本体１０ａの左端部に着脱自在に配置されている。なお、インクの材料は特に限定されず、従来から印刷装置のインクの材料として用いられている各種の材料を使用することができる。上記インクは、例えば、ソルベント系（溶剤系）顔料インクや水性顔料インクであってもよいし、水性染料インク、あるいは、紫外線を受けて硬化する紫外線硬化型顔料インクなどであってもよい。
【００２２】
図３は、印刷装置１００のブロック図である。図３に示すように、制御装置４０は、記録媒体５への印刷を制御するものである。制御装置４０の構成は特に限定されない。制御装置４０は、例えばマイクロコンピュータからなっている。制御装置４０は、中央処理装置（ＣＰＵ）と、ＣＰＵが実行するプログラムなどを格納したＲＯＭと、ＲＡＭなどを備えている。ここでは、制御装置４０は、マイクロコンピュータ内に保存されたプログラムを使用して、印刷に関する制御を行う。本実施形態では、制御装置４０は、キャリッジ３０および印刷本体１０ａの内部に設けられている。ここでは、制御装置４０の少なくとも一部は、キャリッジ３０に設けられている。
【００２３】
本実施形態では、制御装置４０は、ヘッド移動機構３１の第１駆動モータ２４と、媒体搬送機構３２の第２駆動モータ２７と、インクヘッド３５と通信可能に接続されている。制御装置４０は、第１駆動モータ２４、第２駆動モータ２７、および、インクヘッド３５を制御する。制御装置４０は、ヘッド移動機構３１の第１駆動モータ２４の駆動を制御することで、プーリ２２の回転、および、ベルト２３（図１参照）の走行を制御する。このことで、制御装置４０は、インクヘッド３５における主走査方向Ｙへの移動を制御する。制御装置４０は、媒体搬送機構３２の第２駆動モータ２７の駆動を制御してグリットローラ２５の回転を制御することで、プラテン１６に載置された記録媒体５における副走査方向Ｘへの移動を制御する。制御装置４０は、インクヘッド３５がインクを吐出するタイミングなどを制御する。
【００２４】
図４は、キャリッジ３０の内部の構成を模式的に示した正面図である。ところで、本実施形態では、図４に示すように、制御装置４０と、インクヘッド３５とは、フレキシブルケーブル５０によって互いが電気的に接続されている。なお、フレキシブルケーブル５０の形状は、例えば扁平状であるが、特に限定されない。ここでは、１つのインクヘッド３５に１つのフレキシブルケーブル５０が接続され、フレキシブルケーブル５０の数は、インクヘッド３５の数と同じである。ここでは、フレキシブルケーブル５０の数は、８である。制御装置４０は、フレキシブルケーブル５０を介して信号をインクヘッド３５に送信し、インクヘッド３５は、受信した信号に基づいてインクを吐出する。制御装置４０とインクヘッド３５との間に信号が伝達される際、フレキシブルケーブル５０には高電流が流れる。その結果、フレキシブルケーブル５０がアンテナとして作用することで、フレキシブルケーブル５０から放射ノイズ（以下、単に「ノイズ」という。）が発生することがあり得る。このノイズは、印刷装置１００の周辺の機器に誤作動を起こさせるおそれがあり、除去されることが望ましい。特に、高周波数帯域で発生されるノイズは、周辺機器に誤作動を起こさせる可能性が高く、除去されることが望ましい。ノイズが発生し易い周波数や除去したいノイズの周波数は、印刷装置１００の機種ごとに異なるものである。
【００２５】
図５は、第１フェライトコア５１および第２フェライトコア５２の斜視図である。そこで、本実施形態では、フレキシブルケーブル５０から発生するノイズを除去するために、フレキシブルケーブル５０には、フェライトコア５１、５２が取り付けられる。ここでは、１つのフレキシブルケーブル５０には、１つのフェライトコア５１、５２の何れかが取り付けられる。なお、図４の例では、フレキシブルケーブル５０には、フェライトコア５１が取り付けられている。フェライトコア５１、５２は、特定の周波数で発生するノイズを除去するものである。例えばフェライトコア５１、５２の大きさなどによって、除去できるノイズの周波数が異なる。
【００２６】
本実施形態では、印刷装置１００において、図５に示すように、大きさが異なる２種類のフェライトコア５１、５２のうちの何れかが使用される。以下の説明において、フェライトコア５１を第１フェライトコア５１と称し、フェライトコア５２を第２フェライトコア５２と称する。フェライトコア５１、５２は、フレキシブルケーブル５０が挿入された状態で使用される。ここでは、第１フェライトコア５１には、フレキシブルケーブル５０が挿入される第１挿入口５５が形成されている。第２フェライトコア５２には、フレキシブルケーブル５０が挿入される第２挿入口５６が形成されている。フェライトコア５１、５２は、扁平状である。しかしながら、フェライトコア５１、５２の形状は特に限定されない。
【００２７】
以下の説明において、フェライトコア５１、５２において、フレキシブルケーブル５０が挿入される方向を挿入方向Ｄ１と称する。また、平面視において、挿入方向Ｄ１と直交する方向を直交方向Ｄ２と称する。挿入方向Ｄ１および直交方向Ｄ２と直交する方向を高さ方向Ｄ３と称する。また、以下のフェライトコアホルダ６０の説明では、挿入方向Ｄ１の一端の方向を前方とし、他端の方向を後方とする。直交方向Ｄ２の一端の方向を左方とし、他端の方向を右方とする。そして、高さ方向Ｄ３の一端の方向を上方とし、他端の方向を下方とする。
【００２８】
本実施形態では、第１フェライトコア５１の挿入方向Ｄ１の長さＬ１１は、第２フェライトコア５２の挿入方向Ｄ１の長さＬ２１よりも短い。第１フェライトコア５１の直交方向Ｄ２の長さＬ１２は、第２フェライトコア５２の直交方向Ｄ２の長さＬ２２よりも短い。また、第１フェライトコア５１の高さ方向Ｄ３の長さＬ１３は、第２フェライトコア５２の高さ方向Ｄ３の長さＬ２３よりも若干長い。
【００２９】
本実施形態では、図４に示すように、印刷装置１００は、フェライトコアホルダ６０を備えている。フェライトコアホルダ６０は、フェライトコア５１、５２を収容することが可能なものである。ここでは、フェライトコアホルダ６０は、大きさが異なる複数（ここでは２つ）の種類のフェライトコア５１、５２のうち何れかを収容することが可能である。本実施形態では、１つのフェライトコアホルダ６０には、４つのフェライトコア５１、５２を収容することが可能である。そのため、印刷装置１００には、２つのフェライトコアホルダ６０が設けられている。ただし、１つのフェライトコアホルダ６０に収容可能なフェライトコア５１、５２の数は特に限定されない。例えば、１つのフェライトコアホルダ６０に収容可能なフェライトコア５１、５２の数は、１つであってもよいし、５つ以上であってもよい。
【００３０】
本実施形態では、フェライトコアホルダ６０は、インクヘッド３５が搭載されたキャリッジ３０内に固定されている。具体的には、キャリッジ３０内には、インクヘッド３５の上方において、フェライトコアホルダ６０が取り付けれる被取付部３８が設けられている。被取付部３８は、例えば板金によって形成されている。２つのフェライトコアホルダ６０は、被取付部３８に固定されている。２つのフェライトコアホルダ６０は、直交方向Ｄ２（ここでは、主走査方向Ｙ）に並ぶように配置されている。
【００３１】
ここでは、２つのフェライトコアホルダ６０は、同様の構成をしている。図６は、フェライトコアホルダ６０の斜視図である。本実施形態では、図６に示すように、フェライトコアホルダ６０は、ベース７１と、取付部７２と、収容部７３とを備えている。ベース７１は、直交方向Ｄ２（ここでは、主走査方向Ｙ）に延びた板状の部材である。取付部７２は、キャリッジ３０の被取付部３８に取り付けられる部位であって、ベース７１の左側端部に設けられている。取付部７２の構成は特に限定されない。例えば、板金の被取付部３８には、取付孔が形成されており、取付部７２は、被取付部３８の上記取付孔に差し込むようにして取り付けられる樹脂ばねである。
【００３２】
収容部７３は、第１フェライトコア５１および第２フェライトコア５２のうち何れかが収容されるものである。本実施形態では、１つのフェライトコアホルダ６０につき、４つの収容部７３が設けられている。４つの収容部７３は、ベース７１に設けられており、直交方向Ｄ２に並んで配置されている。本実施形態では、ベース７１に形成された孔に収容部７３が設けられている。なお、各収容部７３は同じ構成をしているため、ここでは、１つの収容部７３の構成について説明する。
【００３３】
図７は、収容部７３の斜視図である。図８は、収容部７３に第１フェライトコア５１が収容された状態を示す斜視図である。図９は、収容部７３に第２フェライトコア５２が収容された状態を示す斜視図である。図１０は、図８のＸ−Ｘ断面におけるフェライトコアホルダ６０の断面図である。図１１は、図９のＸＩ−ＸＩ断面におけるフェライトコアホルダ６０の断面図である。図７に示すように、収容部７３の内部には空間が形成されている。この空間に、第１フェライトコア５１および第２フェライトコア５２の何れかが収容される。ここでは、収容部７３は、後部が開口している。本実施形態では、収容部７３は、第１接触部８１と、第２接触部８２と、第１突起８３と、第２突起８４と、第３突起８５と、第１ガイド部８７と、第２ガイド部８８とを有している。図８および図９に示すように、第１接触部８１は、第１フェライトコア５１および第２フェライトコア５２のうち何れかにおける挿入方向Ｄ１に延びた面である上面、下面および側面のうち上面と接触する部位である。本実施形態では、第１接触部８１は、収容部７３の上部を構成している。第１接触部８１は、ベース７１と高さ方向Ｄ３で対向している。第１接触部８１は、板状の部材である。ここでは、第１接触部８１は、２つ設けられており、２つの第１接触部８１は、直交方向Ｄ２に並ぶように配置されている。本実施形態では、２つの第１接触部８１の間に所定の大きさの空間９０が形成されるように、２つの第１接触部８１は配置されている。なお、この空間９０の直交方向Ｄ２の長さは、フレキシブルケーブル５０の幅よりも長い。
【００３４】
図７に示すように、第２接触部８２は、第１フェライトコア５１および第２フェライトコア５２の何れかにおける挿入方向Ｄ１の一端部と接触する部位である。本実施形態では、第２接触部８２は、収容部７３の前部を構成している。第２接触部８２は、高さ方向Ｄ３に延びた板状の部材である。本実施形態では、第２接触部８２は、ベース７１と第１接触部８１との間に設けられている。図６に示すように、第２接触部８２は、第１接触部８１と同様に２つ設けられており、２つの第２接触部８２は、直交方向Ｄ２に並ぶように配置されている。ここでは、２つの第２接触部８２の間には、所定の空間９０が形成されている。直交方向Ｄ２の一端側に配置された第２接触部８２は、直交方向Ｄ２の一端側に配置された第１接触部８１の前端と連続している。直交方向Ｄ２の他端側に配置された第２接触部８２は、直交方向Ｄ２の他端側に配置された第１接触部８１の前端と連続している。本実施形態では、２つの第２接触部８２の間には、収容部７３に収容されたフェライトコア５１、５２の挿入口５５、５６に挿入されたフレキシブルケーブル５０が配置される。
【００３５】
図１０に示すように、第１突起８３は、第１接触部８１と対向した位置に設けられ、第１フェライトコア５１を収容部７３に収容した際、第１フェライトコア５１と接触するものである。第１突起８３は、第１フェライトコア５１を収容部７３に収容した際、第１フェライトコア５１を第１接触部８１に押し当てるものである。図１１に示すように、第２突起８４は、第１接触部８１と対向した位置に設けられ、第２フェライトコア５２を収容部７３に収容した際、第２フェライトコア５２と接触するものである。第２突起８４は、第２フェライトコア５２を収容部７３に収容した際、第２フェライトコア５２を第２接触部８１に押し当てるものである。図１０に示すように、第２突起８４は、第１フェライトコア５１を収容部７３に収容した際、第１フェライトコア５１が収容部７３から抜け出さないようにする抜け防止として機能する。本実施形態では、第２突起８４は、第１突起８３よりも第２接触部８２から離れた位置に配置されている。平面視における挿入方向Ｄ１において、第２突起８４と第２接触部８２との間に、第１突起８３が配置されている。
【００３６】
本実施形態では、収容部７３は、第２接触部８２から挿入方向Ｄ１に延びた第１支持部材９１を備えている。第１支持部材９１の上部に第１突起８３および第２突起８４が設けられている。詳しくは、第２突起８４は、第１支持部材９１の先端部分において上方に凸になるように設けられている。第１突起８３は、第１支持部材９１の中央部分において上方に凸になるように設けられている。本実施形態では、第１突起８３の高さ方向Ｄ３の長さＬ３１は、第２突起８４の高さ方向Ｄ３の長さＬ３２よりも短い。ここでは、平面視において、第２接触部８２から第１突起８３までの挿入方向Ｄ１の距離Ｌ４１は、第１フェライトコア５１の挿入方向Ｄ１の長さＬ１１よりも短く、第２フェライトコア５２の挿入方向Ｄ１の長さＬ２１（図１１参照）よりも短い。平面視において、第２接触部８２から第２突起８４までの挿入方向Ｄ１の距離Ｌ４２は、第１フェライトコア５１の挿入方向Ｄ１の長さＬ１１よりも長く、第２フェライトコア５２の挿入方向Ｄ１の長さＬ２１よりも短い。ここで、「第２接触部８２から第１突起８３までの挿入方向Ｄ１の距離Ｌ４１」とは、第２接触部８２の後端と、第１突起８３のうち第１フェライトコア５１と接触する最も前端の部位とにおける挿入方向Ｄ１の距離のことである。「第２接触部８２から第２突起８４までの挿入方向Ｄ１の距離Ｌ４２」とは、第２接触部８２の後端と第２突起８４のうち第２フェライトコア５２と接触する最も前端の部位とにおける挿入方向Ｄ１の距離のことである。
【００３７】
図１１に示すように、第３突起８５は、第２フェライトコア５２を収容部７３に収容した際、第２フェライトコア５２が収容部７３から抜け出さないようにする抜け防止として機能するものである。第３突起８５は、第１接触部８１と対向する位置に設けられている。第３突起８５は、第１接触部８１側に向かって突出した突起である。本実施形態では、第３突起８５は、第１突起８３および第２突起８４よりも第２接触部８２と反対側に位置している。ここでは、図７に示すように、第３突起８５は、２つ設けられている。詳しくは、第１突起８３および第２突起８４の直交方向Ｄ２の両側に、１つずつ第３突起８５が設けられている。
【００３８】
本実施形態では、収容部７３は、第２接触部８２から挿入方向Ｄ１に延びた２つの第２支持部材９２を備えている。一方の第２支持部材９２は、第１支持部材９１の直交方向Ｄ２の一方側に配置されている。他方の第２支持部材９２は、第１支持部材９１の直交方向Ｄ２の他方側に配置されている。言い換えると、２つの支持部材９２の間に第１支持部材９１が配置されている。第３突起８５は、第２支持部材９２の先端部分において上方に凸となるように設けられている。
【００３９】
なお、本実施形態では、図１１に示すように、２つの第３突起８５の高さ方向Ｄ３の長さＬ３３は同じであり、第２接触部８２からの距離Ｌ４３も同じである。ここでは、第３突起８５の高さ方向Ｄ３の長さＬ３３は、第１突起８３の高さ方向Ｄ３の長さＬ３１（図１０参照）よりも長く、第２突起８４の高さ方向Ｄ３の長さＬ３２（図１０参照）よりも長い。しかしながら、長さＬ３１、Ｌ３２、Ｌ３３の長さの関係は特に限定されない。また、本実施形態では、平面視において、第２接触部８２から第３突起８５までの挿入方向Ｄ１の距離Ｌ４３は、第２接触部８２から第１突起８３までの挿入方向Ｄ１の距離Ｌ４１（図１０参照）よりも長く、第２接触部８２から第２突起８４までの挿入方向Ｄ１の距離Ｌ４２（図１０参照）よりも長い。また、平面視において、第２接触部８２から第３突起８５までの距離Ｌ４３は、第１フェライトコア５１の挿入方向Ｄ１の長さＬ１１（図１０参照）よりも長く、第２フェライトコア５２の挿入方向Ｄ１の長さＬ２１よりも長い。ここで、「第２接触部８２から第３突起８５までの挿入方向Ｄ１の距離Ｌ４３」とは、第２接触部８２の後端と第３突起８５の最も前端とにおける挿入方向Ｄ１の距離のことである。
【００４０】
図６に示すように、第１ガイド部８７および第２ガイド部８８は、フレキシブルケーブル５０をガイドするものである。本実施形態では、図７に示すように、第１ガイド部８７は、収容部７３の前方におけるベース７１の部位の上方に配置されている。第２ガイド部８８は、収容部７３の後方におけるベース７１の部位の上方に配置されている。本実施形態では、収容部７３の前方におけるベース７１の部位には、フレキシブルケーブル５０が載置される第１載置部９３が形成されている。そして、第１載置部９３の直交方向Ｄ２の一方側には、高さ方向Ｄ３に延びた第１縦部材９５が設けられている。第１ガイド部８７は、第１縦部材９５の上端に接続され、直交方向Ｄ２に延びている。第１ガイド部８７は、第１載置部９３の上方に位置している。また、本実施形態では、収容部７３の後方におけるベース７１の部位には、フレキシブルケーブル５０が載置される第２載置部９４が形成されている。そして、第２載置部９４の直交方向Ｄ２の一方側には、高さ方向Ｄ３に延びた第２縦部材９６が設けられている。第２ガイド部８８は、第２縦部材９６の上端に接続され、直交方向Ｄ２に延びている。第２ガイド部８８は、第２載置部９４の上方に位置している。ここでは、収容部７３に収容されたフェライトコア５１、５２が取り付けられたフレキシブルケーブル５０は、第１載置部９３と第１ガイド部８７との間、および、第２載置部９４と第２ガイド部８８との間に配置されている。
【００４１】
なお、本実施形態では、フェライトコアホルダ６０は、樹脂製である。具体的には、ベース７１、取付部７２、収容部７３の第１接触部８１、第２接触部８２、第１突起８３、第２突起８４、第３突起８５、第１ガイド部８７、第２ガイド部８８と、第１支持部材９１、第２支持部材９２、第１載置部９３、第２載置部９４、第１縦部材９５、および、第２縦部材９６は、樹脂製である。しかしながら、フェライトコアホルダ６０を構成する部位の一部は、樹脂以外の材質によって形成されていてもよい。本実施形態では、第１支持部材９１および第２支持部材９２は、樹脂ばねとして機能し、第１接触部８１側に向かって弾性力を付与する。そのため、第１支持部材９１に設けられた第１突起８３および第２突起８４は、第１接触部８１側に向かって、第１支持部材９１の弾性力を付与する。第２支持部材９２に設けられた第３突起８５は、第１接触部８１側に向かって、第２支持部材９２の弾性力を付与する。
【００４２】
以上、本実施形態に係る印刷装置１００の構成について説明した。次に、第１フェライトコア５１および第２フェライトコア５２をフェライトコアホルダ６０に収容する手順について説明する。まず、第１フェライトコア５１をフェライトコアホルダ６０に収容する場合、第１フェライトコア５１の第１挿入口５５にフレキシブルケーブル５０を挿入した状態において、図８に示すように、第１フェライトコア５１の挿入方向Ｄ１の一端を収容部７３の後部の開口から内部に挿入する。そして、図１０に示すように、第１フェライトコア５１の挿入方向Ｄ１の一端と、収容部７３の第２接触部８２とが接触した状態となるように、第１フェライトコア５１を挿入し続ける。このとき、第１フェライトコア５１は、第１突起８３と接触し、第１突起８３にかかる第１支持部材９１の弾性力によって、第１接触部８１側に押し付けられる。このことによって、第１フェライトコア５１は、収容部７３に収容された状態となる。
【００４３】
第１フェライトコア５１を収容部７３に収容した際、第２突起８４は、抜け防止機能として作用する。本実施形態では、第１フェライトコア５１が収容部７３に収容された状態において、第１フェライトコア５１が第２接触部８２と第２突起８４に接触する範囲において、挿入方向Ｄ１に若干移動可能である。なお、第１フェライトコア５１の第１挿入口５５に挿入されたフレキシブルケーブル５０は、第１載置部９３と第１ガイド部８７との間、および、第２載置部９４と第２ガイド部８８との間に位置する。第１フェライトコア５１が収容部７３に収容された状態において、フレキシブルケーブル５０は、第１フェライトコア５１に対して摺動可能である。そのため、フレキシブルケーブル５０の位置の微調整を容易に行うことができる。
【００４４】
第２フェライトコア５２をフェライトコアホルダ６０に収容する場合、第２フェライトコア５２の第２挿入口５６にフレキシブルケーブル５０が挿入された状態において、まず、図９に示すように、第２フェライトコア５２の挿入方向Ｄ１の一端を収容部７３の後部の開口から内部に挿入する。そして、図１１に示すように、第２フェライトコア５２の挿入方向Ｄ１の一端と、収容部７３の第２接触部８２とが接触する。このとき、第２フェライトコア５２は、第２突起８４と接触し、第２突起８４にかかる第１支持部材９１の弾性力によって、第１接触部８１側に押し付けられる。このことによって、第２フェライトコア５２は、収容部７３に収容された状態となる。なお、本実施形態では、第２フェライトコア５２が収容部７３に収容された状態において、第２フェライトコア５２は、第１突起８３と接触していないが、第１突起８３と接触していてもよい。
【００４５】
ここでは、第２フェライトコア５２を収容部７３に収容した際、２つの第３突起８５は、第２フェライトコア５２の抜け防止機能として作用する。本実施形態では、第２フェライトコア５２が収容部７３に収容された状態において、第２フェライトコア５２が第２接触部８２と第３突起８５に接触する範囲において、挿入方向Ｄ１に若干移動可能である。なお、第２フェライトコア５２が取り付けられたフレキシブルケーブル５０は、第１載置部９３と第１ガイド部８７との間、および、第２載置部９４と第２ガイド部８８との間に位置する。第２フェライトコア５２が収容部７３に収容された状態において、フレキシブルケーブル５０は、第２フェライトコア５２に対して摺動可能である。そのため、フレキシブルケーブル５０の位置の微調整を容易に行うことができる。
【００４６】
以上、本実施形態では、例えば、図１０に示すように、収容部７３に第１フェライトコア５１を収容する場合、第１フェライトコア５１の一端が第２接触部８２に接触するように、第１フェライトコア５１を収容部７３に収容する。このとき、第１フェライトコア５１は、第１支持部材９１の弾性力を利用して、第１突起８３によって第１接触部８１に押し当てられる状態となる。よって、第１突起８３の突出量によって第１フェライトコア５１が収容部７３から脱落しないように、第１フェライトコア５１を第１接触部８１側に押す力が調整されているので、収容部７３から第１フェライトコア５１が簡単に取り外され難い。例えば、図１１に示すように、第２フェライトコア５２を収容部７３に収容する場合、第２フェライトコア５２の一端が第２接触部８２に接触するように、第２フェライトコア５２を収容部７３に収容する。このとき、第２フェライトコア５２は、第１支持部材の弾性力を利用して、第２突起８４によって第１接触部８１に押し当てられる状態となる。よって、第２突起８４の突出量によって第２フェライトコア５２が収容部７３から脱落しないように、第２フェライトコア５２を第１接触部８１側に押す力が調整されているので、収容部７３から第２フェライトコア５２が簡単に取り外され難い。したがって、１つの収容部７３に大きさが異なるフェライトコア５１、５２のいずれを収容しても脱落することなく収容することができる。
【００４７】
本実施形態では、図７に示すように、第１突起８３は、第１支持部材９１に形成され、第１接触部８１側に向かって突出している。第２突起８４は、第１支持部材９１における第１突起８３が形成された位置よりも第２接触部８２側とは反対側に形成され、第１接触部８１側に向かって第１突起８３とは異なる高さで突出している。ここでは、第１突起８３と第２突起８４とは異なる高さを有するので、１つの第１支持部材９１の弾性力によって、第１突起８３および第２突起８４には、異なる大きさの、第１接触部８１側に押す力が発生する。よって、第１フェライトコア５１および第２フェライトコア５２の大きさ（ここでは、フレキシブルケーブルが挿入される挿入方向Ｄ１における長さ）が異なる場合であっても、１つの第１支持部材９１の弾性力を利用して、第１突起８３および第２突起８４による第１接触部８１側への異なる押圧力を発生させることで、１つの収容部７３に大きさが異なるフェライトコア５１、５２を収容することができる。
【００４８】
また、本実施形態では、第２突起８４は、第１突起８３よりも第１接触部８１側に向かって突出している。ここでは、図５に示すように、第１フェライトコア５１の高さ方向Ｄ３の長さＬ１３は、第２フェライトコア５２の高さ方向Ｄ３の長さＬ２３よりも若干長い。そのため、図１０に示すように、第１突起８３は、第１フェライトコア５１を収容部７３に収容した際、第１フェライトコア５１を第１接触部８１に押し当てることができる。一方、図１１に示すように、第２突起８４は、第１フェライトコア５１よりも大きな第２フェライトコア５２を収容部７３に収容した際、第１突起８３よりも大きな力で第２フェライトコア５２を第１接触部８１に押し当てることができる。よって、１つの収容部７３に大きさが異なるフェライトコア５１、５２のいずれを収容しても脱落することなく収容することができる。
【００４９】
本実施形態では、図１０に示すように、第２接触部８２から第１突起８３までの距離Ｌ４１は、第１フェライトコア５１の挿入方向Ｄ１の長さＬ１１よりも短い。第２接触部８２から第２突起８４までの距離Ｌ４２は、第１フェライトコア５１の挿入方向Ｄ１の長さＬ１１よりも長く、第２フェライトコア５２の挿入方向Ｄ１の長さＬ２１（図１１参照）よりも短い。このことによって、図１０に示すように、第２突起８４は、第１フェライトコア５１を収容部７３に収容した際、第１フェライトコア５１の抜け防止としての役割を担うことができる。また、図１１に示すように、第２突起８４は、第２フェライトコア５２を収容部７３に収容した際、第２フェライトコア５２を第１接触部８１へ押し当てる機能として作用することができる。よって、第２突起８４で２つの機能を実現することができるため、部品点数を削減することができる。
【００５０】
本実施形態では、図７に示すように、第３突起８５は、第１接触部８１と対向する位置に設けられ、第２接触部８２から挿入方向Ｄ１に向かって延びた第２支持部材９２に設けられている。第３突起８５は、第２突起８４よりも第２接触部８２と反対側に位置している。第３突起８５は、第１接触部８１側に向かって突出している。図１１に示すように、第２接触部８２から第３突起８５までの挿入方向Ｄ１の距離Ｌ４３は、第２フェライトコア５２の挿入方向Ｄ１の長さＬ２１よりも長い。ここでは、第３突起８５は、第２フェライトコア５２が収容部７３に収容された際、第２フェライトコア５２の抜け防止の機能として作用する。よって、第３突起８５によって、第２フェライトコア５２が収容部７３から取り外され難い。
【００５１】
本実施形態では、図７に示すように、第３突起８５は、第２突起８４の直交方向Ｄ２の両側に１つずつ設けられている。このことによって、第２フェライトコア５２を収容部７３に収容した際、第２フェライトコア５２が収容部７３から更に取り外され難くすることができる。
【００５２】
本実施形態では、フェライトコアホルダ６０は、樹脂製である。具体的には、ベース７１、取付部７２、収容部７３の第１接触部８１、第２接触部８２、第１突起８３、第２突起８４、第３突起８５、第１ガイド部８７、第２ガイド部８８と、第１支持部材９１、第２支持部材９２、第１載置部９３、第２載置部９４、第１縦部材９５、および、第２縦部材９６は、樹脂製である。フェライトコアホルダ６０は、キャリッジ３０に取り付けられれるものである。よって、フェライトコアホルダ６０が金属で形成されている場合と比較して、キャリッジ３０全体の重さを軽くすることができる。したがって、キャリッジ３０を移動させる際に必要な消費電力を小さくすることができる。
【００５３】
本実施形態では、図６に示すように、収容部７３は、直交方向Ｄ２に複数設けられている。このことによって、１つのフェライトコアホルダ６０に複数のフェライトコア５１、５２を収容することができる。よって、１つのフェライトコアホルダ６０で１つのフェライトコア５１、５２を収容する場合と比較して、使用されるフェライトコアホルダ６０の数を減らすことができる。したがって、部品点数を減らすことができる。
【００５４】
＜他の実施形態＞
次に、他の実施形態に係るフェライトコアホルダ１６０について説明する。以下の説明では、既に説明した構成と同様の構成には同じ符号を適宜使用し、その説明は適宜省略する。図１２は、他の実施形態に係るフェライトコアホルダ１６０の断面図であり、図１０相当図である。図１２に示すように、フェライトコアホルダ１６０は、大きさが異なるフェライトコア５１、５２（図５参照）を収容可能な収容部１７３を備えている。収容部１７３は、第１接触部８１と、第２接触部８２と、第１突起８３と、第２突起１８４と、第３突起８５と、第１支持部材９１と、第２支持部材９２とを有している。
【００５５】
本実施形態では、第２突起１８４は、第１支持部材９１に設けられており、第１接触部８１と対向した位置に設けられている。第２突起１８４の高さ方向Ｄ３の長さＬ１３２は、第１突起８３の高さ方向Ｄ３の長さＬ３１と同じである。ここでは、平面視において、第２接触部８２から第２突起１８４までの挿入方向Ｄ１の距離Ｌ１４２は、第１フェライトコア５１の挿入方向Ｄ１の長さＬ１１よりも短く、第２接触部８２から第１突起８３までの挿入方向Ｄ１の距離Ｌ４１よりも長い。
【００５６】
本実施形態では、第１フェライトコア５１を収容部１７３に収容した際、第２突起１８４は、第１フェライトコア５１と接触し、第１フェライトコア５１を第１接触部８１に押し当てる。ここでは、第１フェライトコア５１を収容部１７３に収容した際、第１支持部材９１の弾性力を利用して、第１突起８３および第２突起１８４の２つの突起によって、第１フェライトコア５１は第１接触部８１に押し当てられる状態となる。よって、第１突起８３および第２突起１８４の突出量によって、第１フェライトコア５１が収容部１７３から脱落しないように、第１フェライトコア５１を第１接触部８１側に押す力が調整されているので、収容部１７３から第１フェライトコア５１が簡単に取り外され難い。
【００５７】
なお、図示は省略するが、本実施形態では、第２フェライトコア５２を収容部１７３に収容した際、第２突起１８４は、第２フェライトコア５２と接触する。このとき、第１突起８３は、第２フェライトコア５２と接触していてもよい。すなわち、第２フェライトコア５２を収容部１７３に収容した際、第１突起８３および第２突起１８４によって、第２フェライトコア５２は、第１接触部８１に押し当てられる状態となっていてもよい。
【符号の説明】
【００５８】
５１  第１フェライトコア
５２  第２フェライトコア
５５  第１挿入口
５６  第２挿入口
６０  フェライトコアホルダ
７３  収容部
８１  第１接触部
８２  第２接触部
８３  第１突起
８４  第２突起
８５  第３突起
９１  第１支持部材
１００  印刷装置
【図１】
2019021857.tif 000003
【図２】
2019021857.tif 000004
【図３】
2019021857.tif 000005
【図４】
2019021857.tif 000006
【図５】
2019021857.tif 000007
【図６】
2019021857.tif 000008
【図７】
2019021857.tif 000009
【図８】
2019021857.tif 000010
【図９】
2019021857.tif 000011
【図１０】
2019021857.tif 000012
【図１１】
2019021857.tif 000013
【図１２】
2019021857.tif 000014